(57)【特許請求の範囲】
【請求項１】
情報を表示するパネル(91)を具えた第１キャビネット(９)と、  操作釦(92)を具えた第２キャビネット(90)を折畳み可能にヒンジ(５)接続し、両キャビネット(９)(90)は、ヒンジ部(５)内に設けられた接続部材(８)により電気的に接続され、
第１キャビネット(９)は、第１フロントケース(１)と、該第１フロントケース(１)の背面を覆う第１リアカバー(３)を具え、
第２キャビネット(90)は、第２フロントケース(２)と、該第２フロントケース(２)の背面を覆う第２リアカバー(４)を具え、
ヒンジ部(５)は、第１フロントケース(１)に設けられた第１嵌合部(10)と、第２フロントケース(２)に設けられた第２嵌合部(20)とを合わせて構成され、両嵌合部(10)(20)間には接続部材(８)を挿入するための切欠き(50)が開設された携帯端末機器に於いて、
切欠き(50)は、何れかの嵌合部(10)(20)に取り付けられる第１舌片(６)と、第２リアカバー(４)に取り付けられる第２舌片(７)とによって覆われることを特徴とする携帯端末機器。
【請求項２】
第１嵌合部(10)、第２嵌合部(20)、第１舌片(６)、第２舌片(７)は、同じ視覚又は触感を有する材質で統一して形成される請求項１に記載の携帯端末機器。
【発明の詳細な説明】
【０００１】
【発明の属する技術分野】
本発明は、携帯端末機器、特に折畳み構造の携帯電話機に関する。
【０００２】
【従来の技術】
図１０は、従来の携帯電話機の斜視図である。携帯電話機は、情報を表示するパネル(91)を具えた第１キャビネット(９)と、操作釦(92)を具えた第２キャビネット(90)を折畳み可能にヒンジ(５)接続して構成される。以下の記載では、両キャビネット(９)(90)を折り畳んだ際に、内側となる方をフロント側、外側となる方をリア側とする。
第１キャビネット(９)は、パネル(91)が取り付けられる第１フロントケース(１)と、該第１フロントケース(１)の背面を覆う第１リアカバー(３)を具えている。第２キャビネット(90)は、操作釦(92)が取り付けられる第２フロントケース(２)と、該第２フロントケース(２)の背面を覆う第２リアカバー(４)を具えている。
図６は、両フロントケース(１)(２)、及び両リアカバー(３)(４)の分解斜視図であり、操作釦(92)を図示せず、操作釦(92)が嵌まる透孔(93)を図示する。第１リアカバー(３)内には、パネル(91)の画像を変える画像制御回路(80)が設けられ、第２リアカバー(４)内には、操作釦(92)からの信号を受けて、画像制御回路(80)に画像を変更する旨の信号を発するシステム制御回路(81)が配備されている。画像制御回路(80)とシステム制御回路(81)は、可撓性基板や電線である接続部材(８)によって接続され、該接続部材(８)はヒンジ部(５)内に収納される。
【０００３】
図７は、第１、第２フロントケース(１)(２)の分解斜視図である。両フロントケース(１)(２)及び前記リアカバー(３)(４)は、合成樹脂から形成される。第１フロントケース(１)の端部には、第１嵌合部(10)が設けられ、第２フロントケース(２)の端部には、第１嵌合部(10)に嵌める第２嵌合部(20)が設けられている。第１嵌合部(10)と、第２嵌合部(20)とでヒンジ部(５)を構成する。
第１嵌合部(10)は、中心に小孔(14)を開設した第１筒体(11)、第２筒体(12)を互いに離して横向きに設けている。第２嵌合部(20)は第１筒体(11)の外側に位置する第３筒体(21)、第１筒体(11)と第２筒体(12)の間に位置する第１庇体(23)、第２筒体(12)の外側に位置する第４筒体(22)を具える。第３筒体(21)と第４筒体(22)の中心部には、小孔(14)よりも大径の大孔(26)が開設され、第２フロントケース(２)の外側から、段軸(51)(51)を第１筒体(11)と第３筒体(21)、及び第２筒体(12)と第４筒体(22)に通し、該段軸(51)の先端部に留めワッシャ(図示せず)を嵌めることにより、両フロントケース(１)(２)がヒンジ(５)接続される。
【０００４】
第２筒体(12)からは、第１筒体(11)に向かって延びた第２庇体(13)が設けられ、該第２庇体(13)は断面略円弧形に形成されて(図９参照)、前記第１庇体(23)に連なり、第１、第２庇体(23)(13)の下側は解放される。図８は、図６の両フロントケース(１)(２)をＡ方向から見た裏面図であるが、図８に斜線で示す第１、第２庇体(23)(13)の下側に、接続部材(８)を通すことができる。
図６に示すように、第１リアカバー(３)の下端部からは、第１突片(35)が突出し、第２リアカバー(４)の上端部からは、第２突片(45)が突出している。第１突片(35)が第２庇体(13)の下方に被さり、第２突片(45)が第１庇体(23)の下方に被さって、ヒンジ部(５)の外周面が連続して形成されるとともに、接続部材(８)がヒンジ部(５)内に収納される。
【０００５】
【発明が解決しようとする課題】
従来の構成では、両フロントケース(１)(２)のみならず、第１リアカバー(３)の第１突片(35)、及び第２リアカバー(４)の第２突片(45)がヒンジ部(５)の外周面を構成している。従って、ヒンジ部(５)が斑となるのを防ぐべく、両フロントケース(１)(２)とリアカバー(３)(４)は全て同じ色彩で統一されるのが常であった。
然るに、デザインの多様化と商品の差別化を図るべく、両フロントケース(１)(２)とリアカバー(３)(４)を異なる色にて形成する要請がでてきた。従来の構成で、フロントケース(１)(２)とリアカバー(３)(４)を異なる色の材質で形成しようとすれば、ヒンジ部(５)が斑な色で形成される不具合が生じる。具体的には、フロントケース(１)(２)をピンク色、リアカバー(３)(４)を白色にて形成しようとすれば、第１突片(35)及び第２突片(45)が白色で形成され、第１−第４筒体(11)(12)(21)(22)、第１庇体(23)、第２庇体(13)がピンク色で形成されるから、ヒンジ部(５)の外周面がピンク色と白色の斑になり、見栄えが悪い。
ここで、第１突片(35)及び第２突片(45)を、リアカバー(３)(４)とは別の色で形成することも考えられる。しかし、これでは別々の色で着色するのに手間が掛かる。更に、第１突片(35)及び第２突片(45)を塗装等にて着色すると、第１突片(35)及び第２突片(45)の塗装がはげて、地肌が露出したときに、第１突片(35)及び第２突片(45)に塗装を施したことが明らかとなる。従って、却って見栄えが悪くなる問題がある。
フロントケース(１)(２)とリアカバー(３)(４)を異なる質感や模様の材質で形成せんとする場合も、ヒンジ部(５)が斑になるという同様の問題が生じる。
本発明の目的は、フロントケースとリアカバーを、互いに視覚又は触感が異なる材質にて形成する場合に、両フロントケースのヒンジ部の見栄えを改善することにある。
【０００６】
【課題を解決する為の手段】
携帯端末機器の第１キャビネット(９)と第２キャビネット(90)のヒンジ部(５)は、第１フロントケース(１)に設けられた第１嵌合部(10)と、第２フロントケース(２)に設けられた第２嵌合部(20)とを合わせて構成され、両嵌合部(10)(20)間には接続部材(８)を挿入するための切欠き(50)が開設されている。
切欠き(50)は、何れかの嵌合部(10)(20)に取り付けられる第１舌片(６)と、第２のリアカバー(４)に取り付けられる第２舌片(７)とによって覆われる。
【０００７】
【作用及び効果】
第１キャビネット(９)と第２キャビネット(90)のヒンジ部(５)には、接続部材(８)を挿入する切欠き(50)が開設されているが、この切欠き(50)は、嵌合部(10)(20)又はリアカバー(３)(４)とは別個に形成される第１、第２舌片(６)(７)により覆われる。従来では、リアカバー(３)(４)によって、ヒンジ部(５)の一部を構成していたが、本発明では、第１、第２舌片(６)(７)を、リアカバー(４)と異なる材質で形成することができるから、ヒンジ部(５)を同じ視覚又は触感を有する材質で統一して形成することが容易になる。これにより、フロントケース(１)(２)とリアカバー(４)を、視覚又は触感が異なる材質で形成することによる商品の差別化が図れる。
【０００８】
【発明の実施の形態】
以下、本発明の一例を図を用いて詳述する。
図１は、本例に係わる携帯電話機の分解斜視図であり、操作釦等を省く。携帯電話機は、従来と同様に、第１キャビネット(９)と、第２キャビネット(90)を折畳み可能にヒンジ(５)接続して構成される。
第１キャビネット(９)は、パネル(91)が取り付けられる第１フロントケース(１)と、該第１フロントケース(１)の背面を覆う第１リアカバー(３)を具えている。第２キャビネット(90)は、第２フロントケース(２)と、該第２フロントケース(２)の背面を覆う第２リアカバー(４)を具えている。第２リアカバー(４)の端部には、後記する第２舌片(７)が着脱自在に取り付けられている。
第１リアカバー(３)内には、パネル(91)の画像を変える画像制御回路(80)が設けられ、第２リアカバー(４)内には、操作釦(92)からの信号を受けて、画像制御回路(80)に画像を変更する旨の信号を発するシステム制御回路(81)が配備されている。画像制御回路(80)とシステム制御回路(81)は、可撓性基板や電線である接続部材(８)によって接続され、該接続部材(８)はヒンジ部(５)内に収納される。
【０００９】
図２は、両フロントケース(１)(２)の分解斜視図である。第１フロントケース(１)の端部には、第１嵌合部(10)が設けられ、第２フロントケース(２)の端部には、第１嵌合部(10)に嵌める第２嵌合部(20)が設けられている。第１嵌合部(10)と、第２嵌合部(20)とでヒンジ部(５)を構成する。
第１嵌合部(10)は、第１筒体(11)、第２筒体(12)を互いに離して横向きに設けている。第２嵌合部(20)は第１筒体(11)の外側に位置する第３筒体(21)、第１筒体(11)と第２筒体(12)の間に嵌まる第１庇体(23)、第２筒体(12)の外側に位置する第４筒体(22)を具える。第２フロントケース(２)の外側から、段軸(51)(51)を第１筒体(11)と第３筒体(21)、及び第２筒体(12)と第４筒体(22)に通して嵌め、該段軸(51)の先端部に留めワッシャ(図示せず)を嵌めることにより、両フロントケース(１)(２)がヒンジ接続される。
第１筒体(11)からは、第２筒体(12)に向かって断面略円弧形の第２庇体(13)が延び、第２庇体(13)の裏側は解放される。第２庇体(13)の裏側から接続部材(８)を挿入することができる。
【００１０】
図３は、第１フロントケース(１)を裏側から見た斜視図である。第２筒体(12)と第２庇体(13)との間には、受け片(24)が設けられ、該受け片(24)には係止孔(25)が開設されている。
第２庇体(13)には、断面円弧形の第１舌片(６)が取り付けられる。第１舌片(６)は、係止孔(25)に係合する爪片(60)と、第１筒体(11)の側面に嵌まる位置決め突起(61)を有し、第１舌片(６)によって第２庇体(13)裏側の解放部分が覆われる。第１舌片(６)は、第２庇体(13)に合わさって、略筒状の外観を呈し、位置決め突起(61)が第１筒体(11)の側面に嵌まって、第１舌片(６)は第２庇体(13)の曲率中心を軸とした不用意な回動を規制される。
【００１１】
図４は、両フロントケース(１)(２)を裏側から見た分解底面図であり、図５は、両フロントケース(１)(２)を連結した状態を裏側から見た底面図である。第２筒体(12)と第２庇体(13)の間に、第１庇体(23)を嵌める。前記の如く、段軸(51)(51)を第１筒体(11)と第３筒体(21)、及び第２筒体(12)と第４筒体(22)に通して嵌め(図２参照)、両フロントケース(１)(２)を回転自在に連結する。
図５に示すように、第１庇体(23)の裏側Ｄ、及び第２庇体(13)の裏側Ｃは解放されて、ヒンジ部(５)の切欠き(50)を形成している。携帯電話機を組み立てるには、先ず図５に示すように、両フロントケース(１)(２)を連結し、両フロントケース(１)(２)にリアカバー(３)(４)を取り付ける。
切欠き(50)から接続部材(８)を挿入した後に、前記の如く、第１舌片(６)を第２庇体(13)に取り付ければ、第２庇体(13)の裏側Ｃから接続部材(８)は見えない。
【００１２】
図１に示す第２舌片(７)は、断面円弧状に形成されて、第１庇体(23)の裏側Ｄに合わさる。第２舌片(７)は、第１庇体(23)に合わさって、略筒状の外観を呈して、接続部材(８)を覆う。これにより、ヒンジ部(５)の外周面が連続して形成される。
切欠き(50)は、第２フロントケース(２)とは別個に形成される第１舌片(６)、及び第２リアカバー(４)とは別個に形成される第２舌片(７)により覆われる。従来では、リアカバー(３)(４)によって、ヒンジ部(５)の一部を構成していたが、本例にあっては、第１、第２舌片(６)(７)を、第２リアカバー(４)と異なる材質で形成することができるから、ヒンジ部(５)を同じ視覚又は触感を有する材質、具体的には同じ色や模様の材質、同じ質感の材質で統一して形成することが容易になる。これにより、フロントケース(１)(２)とリアカバー(３)(４)を、視覚又は触感が異なる材質で形成しても、ヒンジ部(５)が斑になる不具合を防止でき、フロントケース(１)(２)とリアカバー(３)(４)を、視覚又は触感が異なる材質で形成することによる商品の差別化及びデザインの多様化が図れる。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わる携帯電話機の分解斜視図である。
【図２】両フロントケースの分解斜視図である。
【図３】第１フロントケースを裏側から見た斜視図である。
【図４】両フロントケースを裏側から見た分解底面図である。
【図５】両フロントケースを連結した状態を裏側から見た底面図である。
【図６】両フロントケース、両リアカバーの分解斜視図である。
【図７】第１、第２フロントケースの分解斜視図である。
【図８】図６の両フロントケースをＡ方向から見た裏面図である。
【図９】図７のフロントケースをＢ−Ｂ線を含む面にて破断した断面図である。
【図１０】従来の携帯電話機の斜視図である。
【符号の説明】
(１)  第１フロントケース
(２)  第２フロントケース
(３)  第１リアカバー
(４)  第２リアカバー
(５)  ヒンジ部
(６)  第１舌片
(７)  第２舌片
(８)  接続部材
(９)  第１キャビネット
(10)  第１嵌合部
(20)  第２嵌合部
(50)  切欠き
(90)  第２キャビネット
【図１】
0003643787.tif 000002
【図２】
0003643787.tif 000003
【図３】
0003643787.tif 000004
【図４】
0003643787.tif 000005
【図５】
0003643787.tif 000006
【図６】
0003643787.tif 000007
【図７】
0003643787.tif 000008
【図８】
0003643787.tif 000009
【図９】
0003643787.tif 000010
【図１０】
0003643787.tif 000011